(57)【要約】【課題】ワッシャー付きボルトのワッシャーとボルトがワーク上で相互に偏心して位置ずれが生じている場合でも、ナットランナーを構成するソケットやワッシャーガイドがワッシャーおよびボルトに干渉するのを抑制でき、もってワッシャー付きボルトを効率的にワークに締結することのできるナットランナーを提供する。【解決手段】ワッシャー付きボルトをワークＷｏに締結するナットランナー１０であって、ナットランナー１０は、ボルトＢと嵌合し、サークリップ３を備えたソケット１と、サークリップ３を介してソケット１の外周に該外周との間に隙間５をもって取り付けられ、ソケット１に対して相対的に移動自在なワッシャーガイド２と、を備えている。【選択図】図１
2017144505.tif 000002
【特許請求の範囲】
【請求項１】
ワッシャー付きボルトをワークに締結するナットランナーであって、
前記ナットランナーは、
ボルトと嵌合し、サークリップを備えたソケットと、
前記サークリップを介して前記ソケットの外周に該外周との間に隙間をもって取り付けられ、前記ソケットに対して相対的に移動自在なワッシャーガイドと、を備えているナットランナー。
【発明の詳細な説明】
【技術分野】
【０００１】
本発明はワッシャー付きボルトをワークに締結するナットランナーに関するものである。
【背景技術】
【０００２】
ワークに対してワッシャー付きボルトをソケットで締結するに当たり、ボルトとワッシャーが偏心することでシール不良が発生することが問題となっている。
【０００３】
そこで、締結時にボルトとワッシャーの偏心を防止するべく、ワッシャー位置を規制するガイドをソケットに取り付ける方策が考えられる。
【０００４】
しかしながら、ワッシャーおよびボルトは締結に際してワークの表面に作業員の手作業にて載置されることから、双方の位置のばらつきが生じ易く（既に偏心した状態となり易い）、双方の相対位置がずれてしまうとガイドがワッシャーに乗り上げてしまうといった別途の問題が生じ得る。
【０００５】
より具体的には、ソケットとワッシャーガイドが一体化されたナットランナーを使用し、このナットランナーをワーク表面に載置されているワッシャー付きボルトに向かって降下させた際に、ワッシャーガイドがワッシャーに干渉する。
【０００６】
あるいは、ソケット内にボルトとワッシャーが入らず、ボルトの締結をおこなうことができない事態もあり得る。
【０００７】
なお、ナットランナーを構成するソケットやワッシャーガイドがボルトやワッシャーに干渉し、ナットランナーの降下が阻害されることにより、設備異常が発生することになる。
【０００８】
ここで、特許文献１には、略垂直に保持されて軸回転及び昇降移動するスピンドルの下端部に、嵌合部材が取付られた回転コアを連結機構を介して懸垂保持し、ここで、連結機構は底部中央の開口縁面に下方縮径のガイドテーパが形成された円筒状の支持ガイドをスピンドル下端部に環装固定し、これに下方縮径のコアテーパを有する回転コアを一定の間隙をもって収納するとともに、コアテーパとガイドテーパとを適合当接させて開口から垂下露出させるようにして懸垂保持し、回転コアの上部面に形成された係合凹部はスピンドルの下端面に形成された係合凸部と上下方向及び水平方向に一定の間隙をもって係合してなる、ナットランナー装置の嵌合部機構が開示されている。
【先行技術文献】
【特許文献】
【０００９】
【特許文献１】特開平８−２４７１６１号公報
【発明の概要】
【発明が解決しようとする課題】
【００１０】
特許文献１に記載のナットランナー装置の嵌合部機構によれば、従来一般に用いられている形状のナット等であっても、互いの軸のずれを吸収して嵌合して回転力を伝達させることができるとしている。
【００１１】
しかしながら、このナットランナー装置の嵌合部機構を適用したとしても、上記する課題、すなわち、ワッシャー付きボルトのワッシャーとボルトがワーク上で相互に偏心して位置ずれが生じている場合において、ナットランナーを構成するソケットやワッシャーガイドがワッシャーおよびボルトに干渉し、ワッシャー付きボルトをワークに締結することができないといった課題を解消するには至らない。
【００１２】
本発明は上記する問題に鑑みてなされたものであり、ワッシャー付きボルトのワッシャーとボルトがワーク上で相互に偏心して位置ずれが生じている場合でも、ナットランナーを構成するソケットやワッシャーガイドがワッシャーおよびボルトに干渉するのを抑制でき、もってワッシャー付きボルトを効率的にワークに締結することのできるナットランナーを提供することを目的とする。
【課題を解決するための手段】
【００１３】
前記目的を達成すべく、本発明によるナットランナーは、ワッシャー付きボルトをワークに締結するナットランナーであって、前記ナットランナーは、ボルトと嵌合し、サークリップを備えたソケットと、前記サークリップを介して前記ソケットの外周に該外周との間に隙間をもって取り付けられ、前記ソケットに対して相対的に移動自在なワッシャーガイドと、を備えているものである。
【００１４】
本発明によるナットランナーは、ナットランナーを構成するソケットとワッシャーガイドをサークリップを介して接続するとともに、ソケットとワッシャーガイドの間に隙間をもたせた点に特徴を有するものである。
【００１５】
このように、ソケットとワッシャーガイドの間に隙間があることで、ワッシャー付きボルトのワッシャーとボルトがワーク上で相互に偏心して位置ずれが生じている場合でも、この偏心分を隙間が吸収することができ、このことによって、ソケットやワッシャーガイドがワッシャーおよびボルトに干渉するのを抑制することができる。
【００１６】
より詳細には、ワッシャーとボルトがワーク上で相互に偏心して位置ずれが生じている場合において、ソケットがボルトと嵌合した際に、ソケットは隙間内で横方向に移動する（もしくはフローティングする）ことが可能になり、この横方向移動によって偏心分が吸収される。
【００１７】
ここで、ソケットはたとえば円柱状でその下面にボルトと嵌合する嵌合溝が設けてあり、ワッシャーガイドはたとえば筒状である。
【００１８】
たとえば筒状のワッシャーガイドの下端を筒の内側から外側に向かって下方に傾斜するテーパー状に加工しておくことで、ワッシャーガイドがワッシャーに干渉するのをより一層抑制することができ、好ましい。
【発明の効果】
【００１９】
以上の説明から理解できるように、本発明のナットランナーによれば、ナットランナーを構成するソケットとワッシャーガイドをサークリップを介して接続するとともに、ソケットとワッシャーガイドの間に隙間をもたせたことにより、ワッシャー付きボルトのワッシャーとボルトがワーク上で相互に偏心して位置ずれが生じている場合でも、この偏心分を隙間が吸収することができ、このことによって、ソケットやワッシャーガイドがワッシャーおよびボルトに干渉するのを抑制することができ、ワッシャー付きボルトを効率的にワークに締結することが可能になる。
【図面の簡単な説明】
【００２０】
【図１】本発明のナットランナーの実施の形態を説明した模式図である。
【発明を実施するための形態】
【００２１】
以下、図面を参照して本発明のナットランナーの実施の形態を説明する。
【００２２】
（ナットランナーの実施の形態）
図１は本発明のナットランナーの実施の形態を説明した模式図である。
【００２３】
図示するナットランナー１０は、ワークＷｏに対し、ワッシャーＷａおよびボルトＢを締結するものである。
【００２４】
ナットランナー１０は、ボルトＢと嵌合する嵌合溝１ａを下端に備えた円柱状のソケット１と、ソケット１の外周に配設された筒状のワッシャーガイド２とから大略構成されている。
【００２５】
ソケット１の周囲には環状のサークリップ３が取り付けられ、このサークリップ３の下端には環状のカラー４が取り付けられており、筒状のワッシャーガイド２はこのカラー４に取り付けられ、ソケット１に対して間接的にワッシャーガイド２が取り付けられた構成となっている。
【００２６】
このように、ワッシャーガイド２がサークリップ３に固定されることで、ワンタッチでワッシャーガイド２の取り外しが可能になる。
【００２７】
また、ソケット１の外周とワッシャーガイド２の内周の間には所定の隙間５が設けられている。
【００２８】
さらに、筒状のワッシャーガイド２の下端５ａは、筒の内側から外側に向かって下方に傾斜するテーパー状に加工（面取り加工）されており、図示例では直径位置にある２つのテーパー面の間の角度が120度程度の鈍角をなしている。
【００２９】
このように、図示するナットランナー１０では、ソケット１とワッシャーガイド２が一体構造でなく、別部材の組み合わせ構造となっている。
【００３０】
ナットランナー１０がソケット１の外周とワッシャーガイド２の内周の間に所定の隙間５を備えていることで、ワッシャー付きボルトを構成するワッシャーＷａとボルトＢがワークＷｏ上で相互に偏心して位置ずれが生じている場合でも、この偏心分を隙間５が吸収することが可能になる。
【００３１】
すなわち、ワッシャーＷａとボルトＢがワークＷｏ上で相互に偏心して位置ずれが生じている場合において、図示するようにソケット１がボルトＢと嵌合した際に、ソケット１は隙間５内で横方向に移動する（もしくはフローティングする）ことが可能になり（Ｘ方向）、この横方向移動により、仮にワッシャーＷａとボルトＢが偏心している場合でもこの偏心分が吸収される。
【００３２】
また、筒状のワッシャーガイド２の下端５ａが、筒の内側から外側に向かって下方に傾斜するテーパー状に加工されていることで、ワッシャーガイド２がワッシャーＷａに干渉するのをより一層抑制することができる。
【００３３】
ナットランナー１０によれば、ワッシャーＷａに対してワッシャーガイド２が干渉するのが抑制されることから、干渉によって設備異常が生じる可能性が格段に低減され、ワッシャー付きボルトを効率的にワークＷｏに締結することが可能になる。
【００３４】
また、ワッシャーガイド２が摩耗した際には、ワッシャーガイド２のみを容易に取り外して交換することが可能になる。
【００３５】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００３６】
１…ソケット、１ａ…嵌合溝、２…ワッシャーガイド、３…サークリップ、４…カラー、５…隙間、５ａ…下端、１０…ナットランナー、Ｗｏ…ワーク、Ｂ…ボルト、Ｗａ…ワッシャー
【図１】
2017144505.tif 000003